(57)【特許請求の範囲】
【請求項１】
過酸化水素または過酸化水素発生化合物を有効成分として添加した海水中で活エビ類を薬浴処理し、次いで前記有効成分を含まない海水中で前記活エビ類を養生処理して、前記活エビ類の生存率を改善する、
前記活エビ類が、クルマエビであり、
前記薬浴処理が、処理時間（分）を横軸（ｘ）に、前記有効成分を添加した海水中の過酸化水素換算濃度（ｍｇ／Ｌ）を縦軸（ｙ）に表したときに、
前記処理時間が１０分である直線と、
前記処理時間が１８０分である直線と、
ｙ＝−１０３．７９Ｌｎ（ｘ）＋６８８．９９で表される対数曲線と、
ｙ＝−２６．０９Ｌｎ（ｘ）＋２０６．６１で表される対数曲線と
に囲まれた範囲の条件で行われることを特徴とする活エビ類の保存方法。
【請求項２】
前記薬浴処理が、前記処理時間が１０分以上３０分未満であるとき、前記過酸化水素換算濃度が２５０〜４５０ｍｇ／Ｌの条件で行われ、前記処理時間が６０分以上１８０分以下であるとき、前記過酸化水素換算濃度が９０〜１５０ｍｇ／Ｌの条件で行われる請求項１に記載の活エビ類の保存方法。
【請求項３】
前記薬浴処理が水温１５〜３０℃の海水中で行われ、前記養生処理が前記薬浴処理の水温よりも低くかつ水温５〜２５℃の海水中で行われる請求項１または２に記載の活エビ類の保存方法。
【請求項４】
前記薬浴処理および養生処理が、飼育水槽で行われる請求項１〜３のいずれか１つに記載の活エビ類の保存方法。
【請求項５】
前記養生処理後、さらに含水緩衝材を用いて前記活エビ類を輸送用容器に梱包し、輸送する請求項１〜４のいずれか１つに記載の活エビ類の保存方法。
【発明の詳細な説明】
【技術分野】
【０００１】
本発明は、活エビ類の保存方法に関する。さらに詳しくは、本発明は、クルマエビなどの活エビ類の生存率を改善して、エビ類を生きたままの状態で、安全に輸送するための活エビ類の保存方法に関する。
【背景技術】
【０００２】
従来から、クルマエビ、ボタンエビ、イセエビなどの食用のエビ類を生きたままの状態で消費地に輸送するために、様々な方法が用いられ、様々な工夫がなされてきた。
このような方法としては、例えば、大鋸屑を充填した輸送用容器に活エビ類を梱包し、容器を冷凍輸送車などに積載して輸送する方法やエアポンプを備えた生簀に活エビ類を収容し、生簀ごと輸送する方法などが挙げられる。
【０００３】
エビ類は細毛が生えたエラを胸の内側に有し、そのエラは細毛を介して海水中の溶存酸素をエビ類の体内に送り込む働きをしている。そのため、海水中でなくても、エラが水で濡れていればエビ類は呼吸が可能となる。大鋸屑を用いる輸送方法では、水で湿らせた大鋸屑がエビ類のエラの隙間を塞いで、エラの乾燥を防止することにより、エビ類の呼吸を確保している。
しかしながら、この方法では、輸送中あるいは消費地に到着後にエビ類が死滅し易いという問題がある。
【０００４】
一方、生簀ごと輸送する方法は、輸送コストが掛かるという問題があるものの、エビ類を比較的長期間生存させることができ、エビ類の商品価値を低下させる傷つきを防止できることから実用されている。
例えば、特開２００７−２５９７６６号公報（特許文献１）には、活イカ、活エビなどの活魚介類を海水に収容して保存または輸送するに当たり、活魚介類を収容する海水にグリシンを添加して、活魚介類の生存期間を延長する方法が記載されている。
しかしながら、この方法は、海水を収容した生簀を用いるために輸送コストが掛かるだけでなく、アミノ酸の１種である高価なグリシンを用いるので実施コストも掛かるという問題がある。
【０００５】
また、特開２００６−１４９２４７号公報（特許文献２）には、魚介類を冷却水に浸けて冷却し、冬眠様状態にして輸送する方法が記載されている
しかしながら、この方法は、魚介類を冬眠様状態にする装置や魚介類を蘇生する装置などの様々な装置が必要であり、実施コストが掛かるだけでなく、輸送コストが掛かるという問題がある。
【先行技術文献】
【特許文献】
【０００６】
【特許文献１】特開２００７−２５９７６６号公報
【特許文献２】特開２００６−１４９２４７号公報
【発明の概要】
【発明が解決しようとする課題】
【０００７】
本発明は、クルマエビなどのエビ類を生きたままの状態で、低い輸送コストで安全に輸送するための活エビ類の保存（延命）方法を提供することを課題とする。
【課題を解決するための手段】
【０００８】
本発明の発明者らは、上記の課題を解決すべく鋭意研究を行った結果、所定濃度の過酸化水素を添加した海水中で所定時間、クルマエビなど活エビ類を薬浴処理し、次いで過酸化水素を含まない海水中で活エビ類を養生処理することにより、活エビ類の生存率を改善し、活エビ類を安定して生存させることができ、エビ類を生きたままの状態で、低い輸送コストで安全に輸送できることを見出し、本発明を完成するに到った。
【０００９】
かくして、本発明によれば、過酸化水素または過酸化水素発生化合物を有効成分として添加した海水中で活エビ類を薬浴処理し、次いで前記有効成分を含まない海水中で前記活エビ類を養生処理して、前記活エビ類の生存率を改善する、
前記活エビ類が、クルマエビであり、
前記薬浴処理が、処理時間（分）を横軸（ｘ）に、前記有効成分を添加した海水中の過酸化水素換算濃度（ｍｇ／Ｌ）を縦軸（ｙ）に表したときに、
前記処理時間が１０分である直線と、
前記処理時間が１８０分である直線と、
ｙ＝−１０３．７９Ｌｎ（ｘ）＋６８８．９９で表される対数曲線と、
ｙ＝−２６．０９Ｌｎ（ｘ）＋２０６．６１で表される対数曲線と
に囲まれた範囲の条件で行われることを特徴とする活エビ類の保存方法が提供される。
【発明の効果】
【００１０】
本発明によれば、活エビ類の生存率を改善し、活エビ類を安定して生存させることができ、クルマエビなどのエビ類を生きたままの状態で、低い輸送コストで安全に輸送でき、本発明は産業上極めて有用である。
【図面の簡単な説明】
【００１１】
【図１】本発明の活エビ類の保存方法における薬浴処理の処理（薬浴）時間と過酸化水素（Ｈ2Ｏ2）濃度との関係（クルマエビの２４時間後の生存状態確認）を示す図である。
【図２】本発明の活エビ類の保存方法における薬浴処理の処理（薬浴）時間と過酸化水素（Ｈ2Ｏ2）濃度との関係（クルマエビの１２時間後の生存状態確認）を示す図である。
【発明を実施するための形態】
【００１２】
本発明の活エビ類の保存方法は、過酸化水素または過酸化水素発生化合物を有効成分として添加した海水中で活エビ類を薬浴処理し、次いで前記有効成分を含まない海水中で前記活エビ類を養生処理して、前記活エビ類の生存率を改善することを特徴とする。
【００１３】
本発明の対象となる活エビ類としては、クルマエビ、ウシエビ、バナメイエビなどのクルマエビ科、テナガエビ、スジエビなどのテナガエビ科、イセエビなどのイセエビ科、ロブスターなどのアカザエビ科、ウチワエビなどのセミエビ科などのエビが挙げられる。
本発明の方法は、上記の活エビ類の中でも、クルマエビの保存に好適に用いられる。
【００１４】
過酸化水素は、水中で容易に水と酸素に分解する安全性の高い成分である。
本発明で使用する過酸化水素としては、通常、工業用として市販されている濃度３〜６０％の過酸化水素水溶液が挙げられ、安全性や作業性の点で濃度２５〜３５％程度の過酸化水素水溶液が好ましい。
【００１５】
また、過酸化水素発生化合物（「過酸化水素供給化合物」ともいう）とは、水中で過酸化水素を発生し得る化合物を意味し、過炭酸、過ホウ酸、ペルオキシ硫酸などの無機過酸、過酢酸のような有機過酸およびこれらの塩類が挙げられる。そのような塩類としては、過炭酸ナトリウム、過ホウ酸ナトリウムなどが挙げられる。
これらを海水に添加するにあたっては、所望の濃度になるように過酸化水素または過酸化水素発生化合物を海水や淡水で適宜希釈または溶解して用いてもよい。
【００１６】
また、海水または淡水を含む用水中で発生させた過酸化水素を用いることもできる。過酸化水素を用水中で発生させる方法としては、水またはアルカリ溶液の電気化学的分解、紫外線や放射線などの高エネルギー線を水に照射する方法、あるいは水生生物［例えば、Poecillia vellifere（メダカ目カダヤシ科）］による代謝などの方法が挙げられる。
【００１７】
本発明の方法では、まず過酸化水素または過酸化水素発生化合物を有効成分として添加した海水中で活エビ類を薬浴処理する。
【００１８】
薬浴処理は、有効成分を添加した海水中の過酸化水素換算濃度３０〜５００ｍｇ／Ｌ、処理時間１０〜１８０分の条件で行われるのが好ましい。
薬浴処理における過酸化水素換算濃度、処理時間などの条件は、エビ類の保存（延命）効果、エビ類の生態に対する影響度などを考慮して、エビ類の種類や周辺環境などの状況により適宜設定すればよい。
過酸化水素換算濃度が低すぎたり、処理時間が短すぎる場合には、十分な保存効果が得られないことがある。また、過酸化水素換算濃度が高すぎたり、処理時間が長すぎる場合には、エビ類が死滅してしまうおそれがある。
【００１９】
活エビ類がクルマエビの場合、薬浴処理は、図１に示すように、処理時間（分）を横軸（ｘ）に、有効成分を添加した海水中の過酸化水素換算濃度（ｍｇ／Ｌ）を縦軸（ｙ）に表したときに、
処理時間が１０分である直線と、
処理時間が１８０分である直線と、
ｙ＝−１０３．７９Ｌｎ（ｘ）＋６８８．９９で表される対数曲線と、
ｙ＝−２６．０９Ｌｎ（ｘ）＋２０６．６１で表される対数曲線と
に囲まれた範囲の条件で行われるのが好ましい。
【００２０】
また、薬浴処理は、上記の範囲の中でも、処理時間が１０分以上３０分未満であるとき、過酸化水素換算濃度が２５０〜４５０ｍｇ／Ｌの条件で、処理時間が６０分以上１８０分以下であるとき、過酸化水素換算濃度が９０〜１５０ｍｇ／Ｌの条件で行われるのは好ましい。
【００２１】
本発明の方法では、次いで有効成分を含まない海水中で活エビ類を養生処理する。
養生処理は、活エビ類を養生させ、その運動を低下させると共に、活エビ類に付着した過酸化水素を除去することを目的の１つとする。過酸化水素は水中で容易に水と酸素に分解するが、薬浴処理後に過酸化水素が活エビ類に付着した状態で放置すると活エビ類が死滅することがある。
養生処理の処理時間は、輸送の前処理として本発明の方法を実施する場合には、６０分〜２４時間程度である。
この養生処理と併せて、活エビ類の選別作業を行ってもよい。
【００２２】
一連の薬浴処理および養生処理は、通常、エビ類の養殖で用いられる容量１００００〜１０００００Ｌ程度の飼育水槽で行われるのが好ましいが、海水交換などの作業性を考慮し、１０００〜５０００Ｌ程度の小型水槽で実施してもかまわない。
【００２３】
薬浴処理は、水温１５〜３０℃、好ましくは１８〜２８℃の海水中で行われ、養生処理は、薬浴処理の水温よりも低くかつ水温５〜２５℃、好ましくは１５〜２３℃の海水中で行われるのが好ましい。
【００２４】
本発明の方法により得られた活エビ類は安定して生存するので、長時間の輸送に供することができる。
例えば、養生処理後、さらに含水緩衝材を用いて活エビ類を輸送用容器に梱包し、輸送するのが好ましい。
【００２５】
梱包および輸送方法としては、特に限定されず、公知の方法が挙げられる。
例えば、水を含ませた、大鋸屑、バーミキュライト、発泡スチロールなどの含水緩衝材（含水充填材）と共に活エビ類を、発泡スチロール箱、ダンボールなどの輸送用容器に梱包すればよい。水は、緩衝材の重量に対して１０〜５０％程度含浸させればよい。
次いで、保冷剤や冷凍輸送車などを用いて、輸送用容器を５〜１０℃程度になるように保持しながら輸送すればよい。
緩衝材に大鋸屑を用いず、再利用可能な発泡スチロールなどのプラスチック製の緩衝材を用いることにより、輸送資源の無駄遣いをなくすことができると共に、エビ類への大鋸屑の臭い移りや大鋸屑内における虫の増殖の問題も解消できる。
【実施例】
【００２６】
本発明を試験例により具体的に説明するが、本発明はこれらの試験例により限定されるものではない。
【００２７】
試験例１（クルマエビの生存状態確認試験）
容量４Ｌの飼育水槽に入れた海水３Ｌに、それぞれ表１に示す過酸化水素換算濃度になるように過酸化水素を添加した。このときの水温は１８℃であった。
次いで、各海水に、クルマエビ（平均体長：１１．５ｃｍ、平均体重：１２．９ｇ）を１０尾ずつ投入し、それぞれ表１に示す処理時間、クルマエビを薬浴処理に付した。
処理後、同容量の飼育水槽に入れた水温１８℃の海水３Ｌ中に、クルマエビを移し、養生処理に付した。
【００２８】
薬浴処理終了時から２４時間後に、飼育水槽からクルマエビ取り上げ、一般的な活魚輸送の状態と同様の条件で梱包した。
すなわち、ダンボール箱底部に、水を１０％程度含浸させた緩衝材（樹脂綿）、クルマエビおよび前記と同様の緩衝材を順次重ね、クルマエビが動かないように固定し、ダンボール箱を発泡スチロール箱に入れ、箱全体に冷気が均一に行き渡るように箱の上部に保冷剤を置き、宅配便の冷蔵便で輸送した。
薬浴処理の翌々日に梱包を解き、前記と同容量の飼育水槽に入れた水温２５℃の海水３Ｌ中に、クルマエビを移し、養生処理終了（梱包開始）から２４時間経過後のクルマエビの生存状態を観察した。また、一部の試験例については、１２時間経過後のクルマエビの生存状態も観察した。
比較例８はブランクであり、薬浴処理に付さないこと以外は、上記と同様にして活エビ類を梱包・輸送した例である。
得られた結果を表１ならびに図１（２４時間後）および図２（１２時間後）に示す。表１の評価の記号は図１および図２の各プロットに対応する。
【００２９】
【表１】
0005544531.tif 000002
【００３０】
表１の結果から、次のことがわかる。
（１）過酸化水素換算濃度および薬浴処理時間が４５０ｍｇ／Ｌで１０分、１００ｍｇ／Ｌで１２０分および９０ｍｇ／Ｌで１８０分である場合、２４時間後に全てのクルマエビが生存すること（実施例１、３および６）
（２）過酸化水素換算濃度および薬浴処理時間が３００ｍｇ／Ｌで１０分、１００ｍｇ／Ｌで９０分および１００ｍｇ／Ｌで６０分である場合、１２時間後にクルマエビ１０尾中７〜９尾、２４時間後にクルマエビ１０尾中８〜９尾生存し、過酸化水素換算濃度が高い程、薬浴処理時間が短くても同程度の保存（延命）効果が得られること（実施例２、４および５参照）
（３）薬浴処理時間を１８０分に固定し、過酸化水素換算濃度を３０〜１８０ｍｇ／Ｌに変化させた場合、２４時間後のクルマエビの生存は１０尾中３〜５尾で、その保存（延命）効果は上記（１）には及ばず、過酸化水素換算濃度が低い程、保存（延命）効果が低下すること（比較例３、４、６および７）
（４）低濃度の過酸化水素換算濃度が６０ｍｇ／Ｌで薬浴処理時間が６０分の場合、薬浴処理に付さないブランク（比較例８）と同程度であること（比較例５）
（５）高濃度の過酸化水素換算濃度および薬浴処理時間の条件、すなわち２７０ｍｇ／Ｌで９０分および２００ｍｇ／Ｌで１２０分の場合、２４時間後および１２時間後に全てのクルマエビが死滅してしまうこと（比較例１および２）
上記の結果から、活エビ類がクルマエビの場合、その薬浴処理条件は図１において２本の直線と２本の曲線で囲まれた範囲がより好ましいことがわかる。
【図１】
0005544531.tif 000003
【図２】
0005544531.tif 000004